(57)【要約】【課題】  本発明は、段ボールケースを容易にすばやく開封することができるとともに、開封のしやすさはそのままに、切り込み部が入った面の強度をアップすることができる段ボールケースを提供することである。【解決手段】  天面パネル１は、第１の切込み部２６と、第２の切込み部２７と、第３の切込み部２８と、を有する。第１の切込み部２６は、天面パネル１の２つの長辺部１ｘにそれぞれ両端部間を結ぶほぼ円弧状の曲線形状で点線状に切り込まれる。第２の切込み部２７は、第１の切込み部２６の頂点部分間を結ぶほぼ波型形状で点線状に切り込まれる。第３の切込み部２８は、第２の切込み部２８の両端部にそれぞれ配置され、第１の切込み部２６の外側に延出され、ほぼ半円形状で点線状に切り込まれる。【選択図】図１
2019094075.tif 000002
【特許請求の範囲】
【請求項１】
天面パネルと正面パネルと底面パネルと背面パネルとを有し、これら各パネルの両側に側面フラップが設けられ、前記天面パネルと前記正面パネルと前記底面パネルと前記背面パネルとの各境界部分をそれぞれ内側に折り曲げることで直方体の筒形状に組み立てられ、かつ前記各パネルの両側の前記側面フラップをそれぞれ内側に折り曲げることで側面パネルが形成される段ボールケースであって、
前記天面パネルと前記正面パネルと前記底面パネルと前記背面パネルの少なくともいずれか１つのパネルは、前記パネルの２つの長辺部にそれぞれ両端部間を結ぶほぼ円弧状の曲線形状で点線状に断続的に切り込まれた第１の切込み部と、
前記第１の切込み部の頂点部分間を結ぶほぼ波型形状で点線状に断続的に切り込まれた第２の切込み部と、
前記第２の切込み部の両端部にそれぞれ配置され、前記第１の切込み部の外側に延出され、ほぼ半円形状で点線状に断続的に切り込まれた第３の切込み部と、を有する段ボールケース。
【請求項２】
前記第１の切込み部と、前記第２の切込み部と、前記第３の切込み部とは、前記天面パネルに形成されている請求項１に記載の段ボールケース。
【請求項３】
前記背面パネルは、前記底面パネルとの境界部分と反対側の端縁部に前記天面パネルとの接合用の接合用フラップ部を有する
請求項１または２に記載の段ボールケース。
【請求項４】
前記天面パネルは、両側の前記側面フラップに手掛け用の開口部を有し、
前記正面パネルの両側の前記側面フラップと前記背面パネルの両側の前記側面フラップは、前記側面パネルの組み立て時に、前記開口部と対応する位置に重なる開口部が形成されている
請求項１乃至３のいずれか１項に記載の段ボールケース。
【請求項５】
前記底面パネルは、両側の前記側面フラップの端縁部に中央突出部が形成されている
請求項１乃至４のいずれか１項に記載の段ボールケース。
【請求項６】
前記第１の切込み部と前記第２の切込み部と前記第３の切込み部は、「Ｌ」字形、「Ｉ」字形、「Ｙ」字形、「Ｔ」字形、または「直線」形等の切込みが連続して形成された切込線によって形成されている
請求項１乃至５のいずれか１項に記載の段ボールケース。
【発明の詳細な説明】
【技術分野】
【０００１】
本発明は、天面パネルと正面パネルと底面パネルと背面パネルの少なくともいずれか１つのパネルを切断して開封できるようにした段ボールケースに関する。
【背景技術】
【０００２】
従来から例えばペットボトルや、缶、ガラス瓶などの商品を収納する段ボールケースは、矩形平板状の複数のパネル、例えば天面パネルと正面パネルと底面パネルと背面パネルとを有し、これら各パネルが横並びされた展開形状で作成されている。さらに、各パネルの両側には側面フラップが設けられている。そして、商品の箱詰め時には、展開形状の段ボールケースは、天面パネルと正面パネルと底面パネルと背面パネルとの各境界部分の折り曲げ線に沿ってそれぞれ内側に折り曲げることで直方体の筒形状に組み立てられる。さらに、各パネルの両側の側面フラップをそれぞれ各パネルとの各境界部分の折り曲げ線に沿って内側に折り曲げることで側面パネルが形成され、糊付けされて接着される。
【０００３】
また、予めパネルや、フラップ等に例えばミシン目などの切れ目を入れ、開封用の切り口の加工を施したものもある。この場合は、箱詰めされた商品の取り出し時には、開封用のミシン目などの切れ目からパネル面を切断することで段ボールケースを開き、商品を取り出すようにしている。
【先行技術文献】
【特許文献】
【０００４】
【特許文献１】特開２００７−２０４０５６号公報
【特許文献２】特開２００５−１０４５４９号公報
【発明の概要】
【発明が解決しようとする課題】
【０００５】
開封用の加工を施した段ボールケースとして従来から天面パネルに形成される切り口を直線状のミシン目の組み合わせで形成しているものがある。この場合は、段ボールケースの開封性は、容易である。
【０００６】
しかしながら、切り口の形状を直線の組み合わせで形成している場合は、天面パネルに形成されているミシン目の切り口の部分、例えば切り口の曲り角や、複数の直線状のミシン目の接合部分のあたりに負荷が掛かると強度的に若干弱い面がある。例えば倉庫内での商品の保管時や、商品の搬送時などでは、複数の段ボールケースが上下方向に複数段に積載される場合がある。このように複数の段ボールケースが積載される場合や、積み下ろし作業時などには、下側の段ボールケースに大きな荷重が作用する。このような場合は、直線状のミシン目の組み合わせで形成している天面パネルの切り口の部分が切れ、段ボールケースが不必要に開きやすくなる可能性がある。
【０００７】
本発明は上記事情に着目してなされたもので、その目的は、段ボールケースを容易にすばやく開封することができるとともに、開封のしやすさはそのままに、切り込み部が入った面の強度をアップすることができる段ボールケースを提供することにある。
【課題を解決するための手段】
【０００８】
本発明の一局面の態様は、天面パネルと正面パネルと底面パネルと背面パネルとを有し、これら各パネルの両側に側面フラップが設けられた段ボールケースである。前記天面パネルと前記正面パネルと前記底面パネルと前記背面パネルとの各境界部分をそれぞれ内側に折り曲げることで直方体の筒形状に組み立てられる。さらに、前記各パネルの両側の前記側面フラップをそれぞれ内側に折り曲げることで側面パネルが形成される。前記天面パネルと前記正面パネルと前記底面パネルと前記背面パネルの少なくともいずれか１つのパネルは、第１の切込み部と、第２の切込み部と、第３の切込み部と、を有する。前記第１の切込み部は、前記パネルの２つの長辺部にそれぞれ両端部間を結ぶほぼ円弧状の曲線形状で点線状に切り込まれる。前記第２の切込み部は、前記第１の切込み部の頂点部分間を結ぶほぼ波型形状で点線状に切り込まれる。前記第３の切込み部は、前記第２の切込み部の両端部にそれぞれ配置され、前記第１の切込み部の外側に延出され、ほぼ半円形状で点線状に切り込まれる。  
これにより、複数の段ボールケースが積載される場合などで下側の段ボールケースに大きな荷重が作用する場合に天面パネルと正面パネルと底面パネルと背面パネルの少なくともいずれか１つのパネルに作用する負荷を分散させ、一か所の切込み部の部分に負荷が集中的に掛かるリスクを抑える。これによって天面パネルと正面パネルと底面パネルと背面パネルの少なくともいずれか１つのパネルの全体的な面の強度アップを図ることができる。
【発明の効果】
【０００９】
本発明によれば、段ボールケースを容易にすばやく開封することができるとともに、開封のしやすさはそのままに、切り込み部が入った面の強度をアップすることができる段ボールケースを提供することができる。
【図面の簡単な説明】
【００１０】
【図１】図１は、本発明の第１の実施形態の段ボールケースの展開状態を示す平面図である。
【図２】図２は、図１の段ボールケースの天面パネルを示す平面図である。
【図３】図３は、図１の段ボールケースの組立て状態を示す斜視図である。
【図４】図４は、図１の段ボールケースの開状態を示す斜視図である。
【図５】図５は、図１の段ボールケースに商品を詰め込んだ状態を示す斜視図である。
【図６】図６は、本発明の第２の実施形態の段ボールケースの展開状態を示す平面図である。
【図７】図７は、本発明の第３の実施形態の段ボールケースの展開状態を示す平面図である。
【図８】図８は、本発明の第４の実施形態の段ボールケースの展開状態を示す平面図である。
【図９】図９は、本発明の第５の実施形態の段ボールケースの展開状態を示す平面図である。
【図１０】図１０は、本発明の第６の実施形態の段ボールケースの展開状態を示す平面図である。
【図１１】図１１は、図１０の段ボールケースのＸＩ部分を拡大した状態を示す平面図である。
【図１２】図１２は、第１の実施形態の段ボールケースの第１の変形例の要部を示す平面図である。
【図１３】図１３は、第１の実施形態の段ボールケースの第２の変形例の要部を示す平面図である。
【図１４】図１４は、第１の実施形態の段ボールケースの第３の変形例の要部を示す平面図である。
【図１５】図１５は、第１の実施形態の段ボールケースの第４の変形例の要部を示す平面図である。
【図１６】図１６は、第１の実施形態の段ボールケースの第５の変形例の要部を示す平面図である。
【図１７】図１７は、第１の実施形態の段ボールケースの第６の変形例の要部を示す平面図である。
【発明を実施するための形態】
【００１１】
以下、図１乃至図５を参照して本発明の第１の実施形態を説明する。図１は、実施形態の段ボールケースの展開状態を示す平面図である。図２は、図１の段ボールケースの天面パネルを示す平面図である。図３は、図１の段ボールケースの組立て状態を示す斜視図である。図４は、図１の段ボールケースの開状態を示す斜視図である。図５は、図１の段ボールケースに商品を詰め込んだ状態を示す斜視図である。
【００１２】
図１に示すように本実施形態の段ボールケースＡは、展開状態で平面状に横並びに連接されるほぼ矩形状（長方形状）の４つのパネルである天面パネル１と正面パネル２と底面パネル３と背面パネル４とを有する。なお、天面パネル１は、第１面、正面パネル２は、第２面、底面パネル３は、第３面、背面パネル４は、第４面とも称する。これら各パネル１〜４の両側には、ほぼ長方形状の側面フラップ１ａ、１ｂ、２ａ、２ｂ、３ａ、３ｂ、４ａ、４ｂがそれぞれ設けられている。
【００１３】
そして、天面パネル１と正面パネル２と底面パネル３と背面パネル４との各境界となる直線状の長辺部分５、６、７の折り曲げ線に沿ってそれぞれ内側に折り曲げることで天面パネル１と正面パネル２と底面パネル３と背面パネル４とが直方体の筒形状に組み立てられる。
【００１４】
さらに、本実施形態では、背面パネル４は、底面パネル３との境界の長辺部分７と反対側の端縁部に天面パネル１との接合用の細長いほぼ長方形状の接合用フラップ部８を有する。背面パネル４と接合用フラップ部８との境界の長辺部分９を内側に折り曲げることで天面パネル１に接合用フラップ部８が接着剤などで接合される。
【００１５】
また、正面パネル２の両側の側面フラップ２ａ、２ｂは、正面パネル２との間の境界となる直線状の短辺部分１０、１１の折り曲げ線に沿って内側に直角に折り曲げられる。これにより、側面パネルの内側壁部分１２、１３が形成されている。同様に、背面パネル４の両側の側面フラップ４ａ、４ｂは、背面パネル４との間の境界となる直線状の短辺部分１４、１５から内側に直角に折り曲げられる。これにより、側面パネルの内側壁部分１６、１７が形成されている。
【００１６】
天面パネル１の両側の側面フラップ１ａ、１ｂは、天面パネル１との間の境界となる直線状の短辺部分１８、１９から内側に直角に折り曲げられる。これにより、側面パネルの上側部分２０、２１が形成されている。同様に、底面パネル３の両側の側面フラップ３ａ、３ｂは、底面パネル３との間の境界となる直線状の短辺部分２２、２３から内側に直角に折り曲げられる。これにより、側面パネルの下側部分２４、２５が形成されている。
【００１７】
したがって、本実施形態では、側面パネルは、背面パネル４の両側の側面フラップ４ａ、４ｂによって内側壁部分１６、１７、正面パネル２の両側の側面フラップ２ａ、２ｂによって内側壁部分１２、１３がそれぞれ形成される。さらに、天面パネル１の両側の側面フラップ１ａ、１ｂによって側面パネルの上側部分２０、２１、底面パネル３の両側の側面フラップ３ａ、３ｂによって側面パネルの下側部分２４、２５がそれぞれ形成される。そして、図１中で左側の４枚の側面フラップ４ａ、２ａ、１ａ、３ａの組合せによって段ボールケースＡの一側部側の側面パネルが形成されている。図１中で右側の４枚の側面フラップ４ｂ、２ｂ、１ｂ、３ｂの組合せによって段ボールケースＡの他側部側の側面パネルが形成されている。
【００１８】
また、図２に示すように天面パネル１は、複数の開封用のミシン目などの切込み部（２つの第１の切込み部２６と、１つの第２の切込み部２７と、２つの第３の切込み部２８）を有する。第１の切込み部２６は、天面パネル１の外形を構成する矩形状の２つの長辺部１ｘにそれぞれ両端部間を結ぶほぼ円弧状の曲線形状で点線状に切り込まれる部分である。第２の切込み部２７は、２つの第１の切込み部２６の頂点部分間を結ぶ直線状の連結部でほぼ波型形状で点線状に切り込まれる部分である。第３の切込み部２８は、第２の切込み部２７の両端部にそれぞれ配置され、第１の切込み部２６の外側に延出され、ほぼ半円形状で点線状に切り込まれる部分である。なお、上記第１の切込み部２６と、第２の切込み部２７と、第３の切込み部２８は、例えば「Ｌ」字形、「Ｉ」字形、「Ｙ」字形、または「Ｔ」字形等の短い切込みが連続して形成された切込線によって形成されている。
【００１９】
そして、段ボールケースＡの開封作業時には、天面パネル１の第１の切込み部２６と、第２の切込み部２７と、第３の切込み部２８をそれぞれ切り込む。これにより、図４に示すように天面パネル１は、４つの切断片２９、３０、３１、３２に分離される。これらの４つの切断片２９、３０、３１、３２は、それぞれ外側に折り曲げる状態に開かれることで段ボールケースＡの天面が開放される。
【００２０】
天面パネル１は、両側の側面フラップ１ａ、１ｂにそれぞれ手掛け用の開口部３３ａ、３３ｂを有する。また、正面パネル２の図１中で左側の側面フラップ２ａおよび背面パネル４の図１中で右側の側面フラップ４ｂには、側面パネルの組み立て時に、開口部３３ａ、３３ｂと対応する位置に重なる開口部３４ａ、３４ｂがそれぞれ形成されている。
【００２１】
また、底面パネル３は、両側の側面フラップ３ａ、３ｂの端縁部にほぼ中央部位に図３中で上向きに突出する舌片状の中央突出部３５ａ、３５ｂが形成されている。なお、正面パネル２および背面パネル４のほぼ中央部位には、テープカットの切込み部３６が形成されている。さらに、段ボールケースＡのシートの裏面には、シート切断用のテープ３７を貼る場合もある。この場合は、テープカットの切込み部３６から切り開き、箱を上下に分割してトレイ状態にしてディスプレイをすることができる。
【００２２】
次に、上記構成の作用について説明する。本実施形態の段ボールケースＡは、商品を収容する前は、図１に示す展開状態で形成されている。そして、商品の収容作業時などでは段ボールケースＡを直方体の形態に組み立てる作業が行われる。この段ボールケースＡの組み立て作業時には、天面パネル１と正面パネル２と底面パネル３と背面パネル４との各境界となる直線状の長辺部分５、６、７の折り曲げ線に沿ってそれぞれ内側に折り曲げる。これにより天面パネル１と正面パネル２と底面パネル３と背面パネル４とが直方体の筒形状に組み立てられる。さらに、接合用フラップ部８は、背面パネル４との境界の長辺部分９の折り曲げ線に沿って内側に折り曲げる。この状態で天面パネル１に接合用フラップ部８が接着剤などで接合される。
【００２３】
続いて、正面パネル２の両側の側面フラップ２ａ、２ｂは、正面パネル２との間の境界となる直線状の短辺部分１０、１１の折り曲げ線に沿って内側に直角に折り曲げられる。これにより、側面パネルの内側壁部分１２、１３が形成される。同様に、背面パネル４の両側の側面フラップ４ａ、４ｂは、背面パネル４との間の境界となる直線状の短辺部分１４、１５の折り曲げ線に沿って内側に直角に折り曲げられる。これにより、側面パネルの内側壁部分１６、１７が形成される。
【００２４】
天面パネル１の両側の側面フラップ１ａ、１ｂは、天面パネル１との間の境界となる直線状の短辺部分１８、１９の折り曲げ線に沿って内側に直角に折り曲げられる。これにより、側面パネルの上側部分２０、２１が形成される。同様に、底面パネル３の両側の側面フラップ３ａ、３ｂは、底面パネル３との間の境界となる直線状の短辺部分２２、２３の折り曲げ線に沿って内側に直角に折り曲げられる。これにより、側面パネルの下側部分２４、２５が形成される。このように、本実施形態では図１中で左側の４枚の側面フラップ４ａ、２ａ、１ａ、３ａの組合せによって段ボールケースＡの一側部側の側面パネルが形成される。同様に、図１中で右側の４枚の側面フラップ４ｂ、２ｂ、１ｂ、３ｂの組合せによって段ボールケースＡの他側部側の側面パネルが形成される。
【００２５】
以上の各パネルの折り曲げ作業により、図３に示すように直方体の形態の段ボールケースＡが組み立てられる。
【００２６】
また、商品が箱詰めされた図３に示す直方体の形態の段ボールケースＡの開封作業時には、まず、天面パネル１の中央位置の第２の切込み部２７の部分と第３の切込み部２８の部分を手指で下方（段ボールケースＡの内部側）に向けて押し込む。このとき、第２の切込み部２７がほぼ波型形状に切り込まれ、同時に第３の切込み部２８がほぼ半円形状に切り込まれる。これにより、第２の切込み部２７の周縁の壁板部分が天面パネル１の他の壁板部分から切り離される。
【００２７】
続いて、切り離された第２の切込み部２７の両側の壁板部分を手指で把持し、段ボールケースＡの上方向に向けて引き上げる。この引き上げ操作により、天面パネル１の一部が２つの第１の切込み部２６のほぼ円弧状の曲線形状に沿って切り起こす。このとき、２つの第１の切込み部２６の終端位置まで第２の切込み部２７の両側の壁板部分を切り起こすことで、図４に示すように２つの第１の切込み部２６間のほぼ山型の２つの切断片２９、３０が形成される。２つの切断片２９、３０は、天面パネル１の外側に折り曲げた状態で保持される。
【００２８】
その後、天面パネル１の残りの部分、すなわち２つの第１の切込み部２６の外側の部分を段ボールケースＡの上方向に向けて引き上げる。この引き上げ操作により、ほぼ山型の２つの切断片３１、３２が形成される。２つの切断片３１、３２は、天面パネル１の外側に折り曲げた状態で保持される。これにより、天面パネル１の部分が全て開放され、段ボールケースＡの上面開口部が形成される。
【００２９】
そこで、上記構成の本実施形態の段ボールケースＡでは、次の効果を奏する。すなわち、本実施形態の段ボールケースＡでは、天面パネル１に第１の切込み部２６と、第２の切込み部２７と、第３の切込み部２８と、を設けている。ここで、第１の切込み部２６は、天面パネル１の外形を構成する矩形状の２つの長辺部にそれぞれ両端部間を結ぶほぼ円弧状の曲線形状で点線状に切り込まれる構造である。第２の切込み部２７は、２つの第１の切込み部２６の頂点部分間を結ぶほぼ波型形状で点線状に切り込まれる構造である。第３の切込み部２８は、第２の切込み部２７の両端部にそれぞれ配置され、第１の切込み部２６の外側に延出され、ほぼ半円形状で点線状に切り込まれる構造である。このようにそれぞれ曲線形状の第１の切込み部２６と第２の切込み部２７と第３の切込み部２８とを組み合わせる状態で天面パネル１に開封用のミシン目が作成されている。これにより、第１の切込み部２６と、第２の切込み部２７と、第３の切込み部２８のうちのいずれか一か所の切込み部の部分に負荷が集中的に掛かるリスクを抑えることができる。その結果、複数の段ボールケースＡが積載される場合などで下側の段ボールケースＡに大きな荷重が作用する場合に天面パネル１に作用する負荷を分散させることができる。これによって天面パネル１の全体的な強度アップを図ることができる。
【００３０】
また、天面パネル１の切り口の部分を直線状のミシン目の組み合わせでＨ形の形状に形成した場合には、天面パネル１の面全体に負荷が掛かった場合にセンターの切り口が開きやすい。これに対し、本実施形態では、第１の切込み部２６は、ほぼ円弧状の曲線形状で点線状に切り込まれる構造にしたので、Ｈ形の形状のような角部がない。そのため、第１の切込み部２６の各点線状に切り込まれる部分の一点にかかる負荷を分散させることができる。
【００３１】
さらに、本実施形態では、天面パネル１の切り口の部分となる第２の切込み部２７と第３の切込み部２８の形状をそれぞれ曲線状にした。すなわち、第２の切込み部２７は、２つの第１の切込み部２６の頂点部分間を結ぶほぼ波型形状で点線状に切り込まれる構造にするとともに、第３の切込み部２８は、ほぼ半円形状で点線状に切り込まれる構造にした。これにより、天面パネル１の面全体に負荷が掛かった場合に第１の切込み部２６の円弧の頂点部分に集中しやすい負荷がかかるポイントをずらすことができる。そのため、第１の切込み部２６の円弧の頂点部分で一点に集中することを防止することができる。
【００３２】
さらに、例えば２つの第１の切込み部２６の頂点間を直線の切込み部で結ぶ場合には、天面パネル１の面全体に負荷が掛かった場合に直線の切込み部に負荷が集中し、センターの切り口が開きやすい。これに対し、本実施形態では、第２の切込み部２７をほぼ波型形状で点線状に切り込まれる構造にすることで、点線状に切り込まれる切れ目を２つの第１の切込み部２６の頂点間を結ぶ直線の左右に分散させることができる。
【００３３】
また、本実施形態では、第３の切込み部２８は、ほぼ半円形状で点線状に切り込まれる構造である。これにより、天面パネル１の面全体に負荷が掛かった場合に第１の切込み部２６の頂点部分の切込み部に負荷が集中することを防ぐことができる。
【００３４】
さらに、天面パネル１の面全体に負荷が掛かった場合に２つの切断片２９、３０の部分に外向きに引っ張り力が作用する。本実施形態では、第３の切込み部２８は、ほぼ半円形状にしたので、第３の切込み部２８と第１の切込み部２６との間の連結部付近の面で上記引っ張り力を受けることができる。これにより、第２の切込み部２７のほぼ波型形状の切り口にかかる負荷を、天面パネル１の切り口の部分をＨ形の形状に形成した場合に比べて低減し、開きにくくすることができる。
【００３５】
さらに、天面パネル１の開封時には、第１の切込み部２６と、第２の切込み部２７と、第３の切込み部２８とがそれぞれ切込まれて天面パネル１は、４つの切断片２９、３０、３１、３２に分離される。このとき、切断片２９は、段ボールケースＡの一側部側の側面パネル、切断片３０は、段ボールケースＡの他側部側の側面パネルにそれぞれ連接された状態で保持される。また、切断片３１は、段ボールケースＡの正面パネル２、切断片３２は、段ボールケースＡの背面パネル４にそれぞれ連接された状態で保持される。そのため、４つの切断片２９、３０、３１、３２に分離された天面パネル１の壁板は、切り取られて除去される部分がないので、省資源となる。
【００３６】
また、上記実施形態では、段ボールケースＡとして、直方体形状のケースを一例として示したが、段ボールケースＡは、このような直方体形状に限られるものではなく、これと異なった形状の直方体や、立方体形状等のケースにも適宜適用できることは勿論である。
【００３７】
図６は、本発明の第２の実施形態の段ボールケースの展開状態を示す平面図である。本実施形態は、ラップアラウンド内貼りタイプの段ボールケースＢを示す。なお、図６中で、図１乃至図５と同一部分には同一の符号を付してその説明を省略する。
【００３８】
本実施形態の段ボールケースＢは、各パネル１〜４の両側の側面フラップ１ａ、１ｂ、２ａ、２ｂ、３ａ、３ｂ、４ａ、４ｂに第１の実施形態の段ボールケースＡの手掛け用の開口部３３ａ、３３ｂ、３４ａ、３４ｂが設けられていない点が異なる。これ以外の部分は、第１の実施形態の段ボールケースＡと同一構成である。そのため、本実施形態でも第１の実施形態の段ボールケースＡと同一の作用効果を奏する。
【００３９】
図７は、本発明の第３の実施形態の段ボールケースの展開状態を示す平面図である。本実施形態は、例えばミカン箱のような通常Ａ式タイプの段ボールケースＣを示す。なお、図７中で、図１乃至図５と同一部分には同一の符号を付してその説明を省略する。
【００４０】
本実施形態の段ボールケースＣは、展開状態で平面状に横並びに連接されるほぼ矩形状（長方形状）の４つのパネルである第１面パネル４１と第２面パネル４２と第３面パネル４３と第４面パネル４４とを有する。これら各パネル４１〜４４の両側には、ほぼ長方形状の側面フラップ４１ａ、４１ｂ、４２ａ、４２ｂ、４３ａ、４３ｂ、４４ａ、４４ｂがそれぞれ設けられている。
【００４１】
そして、第１面パネル４１と第２面パネル４２と第３面パネル４３と第４面パネル４４との各境界となる直線状の長辺部分４５、４６、４７の折り曲げ線に沿ってそれぞれ内側に折り曲げることで第１面パネル４１と第２面パネル４２と第３面パネル４３と第４面パネル４４とが直方体の筒形状に組み立てられる。
【００４２】
さらに、本実施形態では、第１面パネル４１は、第２面パネル４２との境界の長辺部分４５と反対側の端縁部に第４面パネル４４との接合用の細長いほぼ長方形状の接合用フラップ部４８を有する。第１面パネル４１と接合用フラップ部４８との境界の長辺部分４９を内側に折り曲げることで第４面パネル４４に接合用フラップ部４８が接着剤などで接合される。
【００４３】
さらに、各パネル４１〜４４の両側の側面フラップ４１ａ、４１ｂ、４２ａ、４２ｂ、４３ａ、４３ｂ、４４ａ、４４ｂがそれぞれ各パネル４１〜４４との間の境界となる直線状の短辺部分５０、５１の折り曲げ線に沿って内側に直角に折り曲げられる。そして、図７中で上側の４枚の側面フラップ４１ａ、４２ａ、４３ａ、４４ａの組合せによって段ボールケースＣの一側部側の側面パネルが形成されている。図７中で下側の４枚の側面フラップ４１ｂ、４２ｂ、４３ｂ、４４ｂの組合せによって段ボールケースＣの他側部側の側面パネルが形成されている。
【００４４】
本実施形態では、図７に示すように第３面パネル４３に第１の実施形態の段ボールケースＡと同一の複数の開封用のミシン目などの切込み部（２つの第１の切込み部２６と、１つの第２の切込み部２７と、２つの第３の切込み部２８）が形成されている。
【００４５】
そこで、本実施形態の段ボールケースＣでも第３面パネル４３に第１の実施形態の段ボールケースＡと同様の２つの第１の切込み部２６と、１つの第２の切込み部２７と、２つの第３の切込み部２８とが形成されているので、第１の実施形態の段ボールケースＡと同様の作用効果を奏する。
【００４６】
図８は、本発明の第４の実施形態の段ボールケースの展開状態を示す平面図である。本実施形態は、ラップアラウンド外貼りタイプの段ボールケースＤを示す。なお、図８中で、図１乃至図５と同一部分には同一の符号を付してその説明を省略する。
【００４７】
本実施形態の段ボールケースＤは、展開状態で平面状に横並びに連接されるほぼ矩形状（長方形状）の４つのパネルである第１面パネル６１と第２面パネル６２と第３面パネル６３と第４面パネル６４とを有する。これら各パネル６１〜６４の両側には、ほぼ長方形状の側面フラップ６１ａ、６１ｂ、６２ａ、６２ｂ、６３ａ、６３ｂ、６４ａ、６４ｂがそれぞれ設けられている。
【００４８】
そして、第１面パネル６１と第２面パネル６２と第３面パネル６３と第４面パネル６４との各境界となる直線状の長辺部分６５、６６、６７の折り曲げ線に沿ってそれぞれ内側に折り曲げることで第１面パネル６１と第２面パネル６２と第３面パネル６３と第４面パネル６４とが直方体の筒形状に組み立てられる。
【００４９】
さらに、本実施形態では、第１面パネル６１は、第２面パネル６２との境界の長辺部分６５と反対側の端縁部に第４面パネル６４との接合用の細長いほぼ長方形状の接合用フラップ部６８を有する。第１面パネル６１と接合用フラップ部６８との境界の長辺部分６９を内側に折り曲げることで第４面パネル６４に接合用フラップ部６８が接着剤などで接合される。
【００５０】
さらに、各パネル６１〜６４の両側の側面フラップ６１ａ、６１ｂ、６２ａ、６２ｂ、６３ａ、６３ｂ、６４ａ、６４ｂがそれぞれ各パネル６１〜６４との間の境界となる直線状の短辺部分７０、７１の折り曲げ線に沿って内側に直角に折り曲げられる。そして、図８中で上側の４枚の側面フラップ６１ａ、６２ａ、６３ａ、６４ａの組合せによって段ボールケースＤの一側部側の側面パネルが形成されている。図８中で下側の４枚の側面フラップ６１ｂ、６２ｂ、６３ｂ、６４ｂの組合せによって段ボールケースＤの他側部側の側面パネルが形成されている。
【００５１】
本実施形態では、図８に示すように第１面パネル６１に第１の実施形態の段ボールケースＡと同一の複数の開封用のミシン目などの切込み部（２つの第１の切込み部２６と、１つの第２の切込み部２７と、２つの第３の切込み部２８）が形成されている。
【００５２】
そこで、本実施形態の段ボールケースＤでも第１面パネル６１に第１の実施形態の段ボールケースＡと同様の２つの第１の切込み部２６と、１つの第２の切込み部２７と、２つの第３の切込み部２８とが形成されているので、第１の実施形態の段ボールケースＡと同様の作用効果を奏する。
【００５３】
図９は、本発明の第５の実施形態の段ボールケースの展開状態を示す平面図である。本実施形態は、ラップアラウンド外貼りタイプの段ボールケースＥを示す。本実施形態の段ボールケースＥでは、第４の実施形態の段ボールケースＤ（図８参照）の変形例である。なお、図９中で、図８と同一部分には同一の符号を付してその説明を省略する。
【００５４】
本実施形態の段ボールケースＥでは、第１面パネル６１は、切込み部がない平面パネルによって形成されている。そして、第４の実施形態の段ボールケースＤの第３面パネル６３に第１の実施形態の段ボールケースＡと同一の複数の開封用のミシン目などの切込み部（２つの第１の切込み部２６と、１つの第２の切込み部２７と、２つの第３の切込み部２８）が形成されている。これ以外の部分は、第４の実施形態の段ボールケースＤとほぼ同一の構成になっている。
【００５５】
そこで、本実施形態の段ボールケースＥでも第３面パネル６３に第１の実施形態の段ボールケースＡと同様の２つの第１の切込み部２６と、１つの第２の切込み部２７と、２つの第３の切込み部２８とが形成されているので、第１の実施形態の段ボールケースＡと同様の作用効果を奏する。
【００５６】
図１０および図１１は、本発明の第６の実施形態を示す。図１０は、本実施形態の段ボールケースの展開状態を示す平面図である。図１１は、図１０の段ボールケースのＸＩ部分を拡大した状態を示す平面図である。
【００５７】
本実施形態の段ボールケースＦは、第２の実施形態の段ボールケースＢ（図６参照）の変形例である。なお、図１０および図１１中で、図６と同一部分には同一の符号を付してその説明を省略する。
【００５８】
本実施形態の段ボールケースＦでは、天面パネル１の切り口の部分の形状を第１の実施形態の段ボールケースＡおよび第２の実施形態の段ボールケースＢとは変更したものである。
【００５９】
すなわち、本実施形態の段ボールケースＦでは、天面パネル１の第１の切込み部２６の形状を波型円弧タイプの第１の切込み部８１に変更したものである。この第１の切込み部８１は、天面パネル１の外形を構成する矩形状の２つの長辺部１ｘにそれぞれ両端部間を結ぶほぼ円弧状の曲線形状で点線状に切り込まれる部分を波型に形成したものである。さらに、この第１の切込み部８１は、図１１に示すように「Ｙ」字形の短い切込み８１ａが連続して形成された切込線によって形成されている。
【００６０】
本実施形態の段ボールケースＦでは、天面パネル１の第１の切込み部２６の形状を波型円弧タイプの第１の切込み部８１に変更し、かつ図１１に示すように「Ｙ」字形の短い切込み８１ａが連続して形成された切込線によって形成した。そのため、第１の実施形態の段ボールケースＡに比べて天面パネル１に作用する負荷を一層、分散させることができる。これによって天面パネル１の全体的な強度アップを図ることができる。
【００６１】
また、次の図１２〜図１７は、それぞれ第１の実施形態の段ボールケースＡの天面パネル１の開け口の部分の形状を変更した変形例を示す。なお、図１２〜図１７中で、図１乃至図５と同一部分には同一の符号を付してその説明を省略する。
【００６２】
図１２は、第１の実施形態の段ボールケースＡの第１の変形例の要部を示す平面図である。本変形例は、天面パネル１の開け口の部分となる２つの第１の切込み部２６の頂点部分間を結ぶ切り込みの部分に異なる２つの形状の切り込み部（第１の中央切込み部９１と第２の中央切込み部９２）を設けたものである。
【００６３】
第１の中央切込み部９１は、大径な半円形状の第１部分９１ａと小径な舌片（半円）形状の第２部分９１ｂとを組み合わせたものである。第２部分９１ｂは、第１部分９１ａの半円形状の頂点部分に連接されている。
【００６４】
第２の中央切込み部９２は、２つの第１の切込み部２６の頂点部分間を結ぶ曲面形状の部分で、この第２の中央切込み部９２の中央部分に第１の中央切込み部９１の第２部分９１ｂの先端が食い込む形状で形成されている。
【００６５】
本変形例では、段ボールケースＡの開封作業時には、第１の中央切込み部９１の第２部分９１ｂのみを押し込み、その隙間から第２の中央切込み部９２をつかみ、切断片２９をめくり上げる。その後、第２部分９１ｂおよび第１部分９１ａをつかみ、上側に引き上げることで第１の切込み部２６間のほぼ山型の一方の切断片３０をめくり上げるような形で開封する。その後、天面パネル１の残りの部分、すなわち２つの第１の切込み部２６の外側の部分を段ボールケースＡの上方向に向けて引き上げる。この引き上げ操作により、ほぼ山型の２つの切断片３１、３２が形成される。２つの切断片３１、３２は、天面パネル１の外側に折り曲げた状態で保持される。これにより、天面パネル１の部分が全て開放され、段ボールケースＡの上面開口部が形成される。  
なお、最初に第２の中央切込み部９２を押し込み、少し飛び出た第２部分９１ｂをつかみ、上側に引き上げることで第１の切込み部２６間のほぼ山型の一方の切断片３０をめくり上げるような形で開封することもできる。この場合は、続いて、一方の切断片３０のめくり上げによって形成された天面パネル１の空間部分を利用して第２の中央切込み部９２から他方の切断片２９をめくり上げることで、開封する。
【００６６】
そこで、本変形例では、段ボールケースＡの開封作業時には、第１の中央切込み部９１の第２部分９１ｂの小さな面積部分のみを押し込むだけでよい。そのため、例えば段ボールケースＡの中身が詰まっていて、空いている空間が少ない場合（中身で箱をある程度支える場合）でも開封作業を容易に行うことができる。
【００６７】
図１３は、第１の実施形態の段ボールケースＡの第２の変形例の要部を示す平面図である。本変形例は、上述した第１の変形例（図１２参照）の第１の中央切込み部９１の形状をさらに変更したものである。すなわち、本変形例では、天面パネル１の開け口の部分となる２つの第１の切込み部２６の頂点部分間を結ぶ切り込みの部分に大径な半円形状の第１の中央切込み部１０１を設けている。この第１の中央切込み部１０１のほぼ中央部分には、小径な舌片（半円）形状の第２部分１０２を設けている。
【００６８】
そして、段ボールケースＡの開封作業時には、第１の中央切込み部１０１の第２部分１０２のみを押し込む。その後、第２部分１０２の押し込みによって形成された天面パネル１の空間部分を利用して第２部分１０２と第１の中央切込み部１０１との間の部分を段ボールケースＡの上方向に向けて引き上げる。この引き上げ操作により、
第１の中央切込み部１０１から一方の切断片３０をめくり上げることで、開封する。その後、一方の切断片３０のめくり上げによって形成された天面パネル１の空間部分を利用して他方の切断片２９をめくり上げることで、開封する。
【００６９】
その後は、上述した第１の変形例と同様の操作で天面パネル１の残りの部分、すなわち２つの第１の切込み部２６の外側の２つの切断片３１、３２の部分を引き上げる。これにより、天面パネル１の部分が全て開放され、段ボールケースＡの上面開口部が形成される。
【００７０】
図１４は、第１の実施形態の段ボールケースＡの第３の変形例の要部を示す平面図である。本変形例は、上述した第２の変形例（図１３参照）の第１の中央切込み部１０１の形状をさらに変更したものである。すなわち、本変形例では、第２の変形例の第１の中央切込み部１０１の第２部分１０２に替えて第１の中央切込み部１０１の先端に他方の切断片２９側に突出する凸部１０３を設けている。
【００７１】
そして、段ボールケースＡの開封作業時には、第１の中央切込み部１０１の凸部１０３のみを押し込む。その後、凸部１０３の押し込みによって形成された天面パネル１の空間部分を利用して第１の中央切込み部１０１の部分を段ボールケースＡの上方向に向けて引き上げる。この引き上げ操作により、第１の中央切込み部１０１から一方の切断片３０をめくり上げることで、開封する。その後は、第２の変形例と同様に一方の切断片３０のめくり上げによって形成された天面パネル１の空間部分を利用して他方の切断片２９をめくり上げることで、開封する。
【００７２】
続いて、上述した第１の変形例と同様の操作で天面パネル１の残りの部分、すなわち２つの第１の切込み部２６の外側の２つの切断片３１、３２の部分を引き上げる。これにより、天面パネル１の部分が全て開放され、段ボールケースＡの上面開口部が形成される。
【００７３】
図１５は、第１の実施形態の段ボールケースＡの第４の変形例の要部を示す平面図である。本変形例は、天面パネル１の開け口の部分となる２つの第１の切込み部２６の頂点部分間を結ぶ切り込みの部分にＶ字状の中央切込み部１１１を設け、２つの中央切込み部１１１間を直線状の中央切込み連結部１１２で連結したものである。
【００７４】
そして、段ボールケースＡの開封作業時には、中央切込み連結部１１２の周辺部を押し込む。その後、中央切込み連結部１１２の周辺部の押し込みによって形成された天面パネル１の空間部分を利用して２つの切断片２９、３０をめくり上げることで、開封する。
【００７５】
その後は、上述した第１の変形例と同様の操作で天面パネル１の残りの部分、すなわち２つの第１の切込み部２６の外側の２つの切断片３１、３２の部分を引き上げる。これにより、天面パネル１の部分が全て開放され、段ボールケースＡの上面開口部が形成される。
【００７６】
図１６は、第１の実施形態の段ボールケースＡの第５の変形例の要部を示す平面図である。本変形例は、第４の変形例（図１５参照）のＶ字状の中央切込み部１１１の形状をさらに変更したものである。すなわち、本変形例では、第４の変形例のＶ字状の中央切込み部１１１に替えて半円形状の中央切込み部１２１を設けている。これ以外の部分は第４の変形例と同一構造である。
【００７７】
図１７は、第１の実施形態の段ボールケースＡの第６の変形例の要部を示す平面図である。本変形例は、天面パネル１の開け口の部分となる２つの第１の切込み部２６の頂点部分間を直線状の中央切込み連結部１３１で連結したものである。これ以外の部分は第５の変形例（図１６参照）と同一構造である。
【００７８】
そして、上記第２〜第６の変形例でも第１の変形例と同様の作用効果が得られる。
【００７９】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００８０】
１…天面パネル、１ａ、１ｂ…側面フラップ、１ｘ…長辺部、２…正面パネル、２ａ、２ｂ…側面フラップ、３…底面パネル、３ａ、３ｂ…側面フラップ、４…背面パネル、４ａ、４ｂ…側面フラップ、５〜７…長辺部分、８…接合用フラップ部、９…長辺部分、１０、１１…短辺部分、１２、１３…内側壁部分、１４、１５…短辺部分、１６、１７…内側壁部分、１８、１９…短辺部分、２０、２１…上側部分、２２、２３…短辺部分、２４、２５…下側部分、２６…第１の切込み部、２７…第２の切込み部、２８…第３の切込み部、２９〜３２…切断片、３３ａ…開口部、３３ｂ…開口部、３４ａ…開口部、３４ｂ…開口部、３５ａ、３５ｂ…中央突出部、４１…第１面パネル、４２…第２面パネル、４３…第３面パネル、４４…第４面パネル、４１ａ、４１ｂ、４２ａ、４２ｂ、４３ａ、４３ｂ、４４ａ、４４ｂ…側面フラップ、４５、４６、４７、４９…長辺部分、４８…接合用フラップ部、５０、５１…短辺部分、６１…第１面パネル、６２…第２面パネル、６３…第３面パネル、６４…第４面パネル、６１ａ、６１ｂ、６２ａ、６２ｂ、６３ａ、６３ｂ、６４ａ、６４ｂ…側面フラップ、６５、６６、６７、６９…長辺部分、６８…接合用フラップ部、７０、７１…短辺部分、８１…切込み部、８１ａ…切込み。
【図１】
2019094075.tif 000003
【図２】
2019094075.tif 000004
【図３】
2019094075.tif 000005
【図４】
2019094075.tif 000006
【図５】
2019094075.tif 000007
【図６】
2019094075.tif 000008
【図７】
2019094075.tif 000009
【図８】
2019094075.tif 000010
【図９】
2019094075.tif 000011
【図１０】
2019094075.tif 000012
【図１１】
2019094075.tif 000013
【図１２】
2019094075.tif 000014
【図１３】
2019094075.tif 000015
【図１４】
2019094075.tif 000016
【図１５】
2019094075.tif 000017
【図１６】
2019094075.tif 000018
【図１７】
2019094075.tif 000019
【手続補正書】
【提出日】平成31年1月29日(2019.1.29)
【手続補正１】
【補正対象書類名】特許請求の範囲
【補正対象項目名】請求項１
【補正方法】変更
【補正の内容】
【請求項１】
天面パネルと正面パネルと底面パネルと背面パネルとを有し、これら各パネルの両側に側面フラップが設けられ、前記天面パネルと前記正面パネルと前記底面パネルと前記背面パネルとの各境界部分をそれぞれ内側に折り曲げることで直方体の筒形状に組み立てられ、かつ前記各パネルの両側の前記側面フラップをそれぞれ内側に折り曲げることで側面パネルが形成される段ボールケースであって、
前記天面パネルと前記正面パネルと前記底面パネルと前記背面パネルの少なくともいずれか１つのパネルは、前記パネルの２つの長辺部にそれぞれ両端部間を結ぶほぼ円弧状の曲線形状の第１の基準線に沿って前記第１の基準線の中央領域以外の部分を点線状に断続的に切り込んで前記パネルに負荷が作用した際の負荷を分散させる第１の切込み部と、
前記中央領域に前記長辺部と直交する方向に延在させた第２の基準線に沿って前記第１の基準線の外側まで延在させた部分をほぼ波型形状で点線状に断続的に切り込んで前記パネルの切込み部分を前記第２の基準線から左右に分けることで前記パネルに負荷が作用した際の負荷を分散させる第２の切込み部と、
前記中央領域における前記第２の切込み部の両端部にそれぞれ配置され、ほぼ半円形状の第３の基準線に沿って点線状に断続的に切り込んで形成して前記第１の切込み部に連結することで前記パネルに負荷が作用した際の負荷を分散させる第３の切込み部と、を有する段ボールケース。
【手続補正２】
【補正対象書類名】明細書
【補正対象項目名】０００８
【補正方法】変更
【補正の内容】
【０００８】
本発明の一局面の態様は、天面パネルと正面パネルと底面パネルと背面パネルとを有し、これら各パネルの両側に側面フラップが設けられた段ボールケースである。前記天面パネルと前記正面パネルと前記底面パネルと前記背面パネルとの各境界部分をそれぞれ内側に折り曲げることで直方体の筒形状に組み立てられる。さらに、前記各パネルの両側の前記側面フラップをそれぞれ内側に折り曲げることで側面パネルが形成される。前記天面パネルと前記正面パネルと前記底面パネルと前記背面パネルの少なくともいずれか１つのパネルは、第１の切込み部と、第２の切込み部と、第３の切込み部と、を有する。前記第１の切込み部は、前記パネルの２つの長辺部にそれぞれ両端部間を結ぶほぼ円弧状の曲線形状の第１の基準線に沿って前記第１の基準線の中央領域以外の部分を点線状に切り込んで前記パネルに負荷が作用した際の負荷を分散させる。前記第２の切込み部は、前記中央領域に前記長辺部と直交する方向に延在させた第２の基準線に沿って前記第１の基準線の外側まで延在させた部分をほぼ波型形状で点線状に切り込んで前記パネルの切込み部分を前記第２の基準線から左右に分けることで前記パネルに負荷が作用した際の負荷を分散させる。
前記第３の切込み部は、前記中央領域における前記第２の切込み部の両端部にそれぞれ配置され、ほぼ半円形状の第３の基準線に沿って点線状に断続的に切り込んで形成して前記第１の切込み部に連結することで前記パネルに負荷が作用した際の負荷を分散させる。  
これにより、複数の段ボールケースが積載される場合などで下側の段ボールケースに大きな荷重が作用する場合に天面パネルと正面パネルと底面パネルと背面パネルの少なくともいずれか１つのパネルに作用する負荷を分散させ、一か所の切込み部の部分に負荷が集中的に掛かるリスクを抑える。これによって天面パネルと正面パネルと底面パネルと背面パネルの少なくともいずれか１つのパネルの全体的な面の強度アップを図ることができる。